【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
壁画画像を備えるボウリングレーンを製作する方法であって、
各ボウリングレーンパネルが壁画画像の異なる部分を描くとともに前記壁画画像の特定部分を備える、複数のボウリングレーンパネルを設けるステップと、
前記複数のボウリングレーンパネルの組立て品が前記壁画画像を形成するように前記複数のボウリングレーンパネルを表面上に組み立てるステップと、
前記複数のボウリングレーンパネルを前記表面に固定するステップと、
を含む方法。
【請求項２】
請求項１記載の方法において、
前記壁画画像が、顧客によって提供されて前記複数のボウリングレーンパネル上に製作される方法。
【請求項３】
請求項１記載の方法において、
前記壁画画像の少なくとも一部が、白色光中で可視の多色インクを備える方法。
【請求項４】
請求項１記載の方法において、
前記壁画画像の少なくとも一部が、紫外光下で可視の光輝性インクを備える方法。
【請求項５】
請求項４記載の方法において、
前記光輝性インクの見かけの明彩度が、前記壁画画像にわたって変化する方法。
【請求項６】
請求項４記載の方法において、
前記壁画画像全体が紫外光下で可視の光輝性インクを備え、前記壁画画像が紫外光下でのみ可視である方法。
【請求項７】
請求項１記載の方法において、
前記複数のボウリングレーンパネルが、一方が白色光下で可視であり他方が紫外光下で可視である２つの壁画画像を形成する方法。
【請求項８】
請求項１記載の方法において、
前記ボウリングレーンパネルがファウルラインおよびピンデッキを規定し、前記壁画画像が前記ファウルラインと前記ピンデッキとの間に実質的に延在する方法。
【請求項９】
請求項８記載の方法において、
前記ボウリングレーンパネルがアプローチエリアをさらに規定し、前記壁画画像が前記アプローチエリアに延在する方法。
【請求項１０】
ボウリングセンターであって、
第１の壁画画像の異なる部分を各々が描く第１の複数のボウリングレーンパネルを備える第１のボウリングレーンと、
第２の壁画画像の異なる部分を各々が描く第２の複数のボウリングレーンパネルを備える第２のボウリングレーンと、を備え、
前記第１および第２の壁画画像が、多レーン壁画画像を形成し、
前記第１および第２の複数のボウリングレーンパネルの各々が、前記多レーン壁画画像の特定部分を備えるボウリングセンター。
【請求項１１】
請求項１０記載のボウリングセンターにおいて、
少なくとも１本の追加のボウリングレーンをさらに備え、前記少なくとも１本の追加のボウリングレーンの各々が、それぞれの少なくとも１つの追加の壁画画像の異なる部分を各々が描くそれぞれの複数のボウリングレーンパネルを備え、前記第１の壁画画像、前記第２の壁画画像、および前記少なくとも１つの追加の壁画画像が前記多レーン壁画画像を形成するボウリングセンター。
【請求項１２】
請求項１０記載のボウリングセンターにおいて、
前記第１および第２のボウリングレーン間に少なくとも１つのガターをさらに備え、前記少なくとも１つのガターが、前記第１および第２のボウリングレーンからの前記第１および第２の壁画画像とともに前記多レーン壁画画像を形成する壁画画像を備えるボウリングセンター。
【請求項１３】
請求項１０記載のボウリングセンターにおいて、
前記第１および第２のボウリングレーン間にボールリターンをさらに備え、前記ボールリターンが、前記第１および第２のボウリングレーンからの前記第１および第２の壁画画像とともに前記多レーン壁画画像を形成する壁画画像を備えるボウリングセンター。
【請求項１４】
請求項１０記載のボウリングセンターにおいて、
紫外光下で可視の光輝性インクを備える画像を備える、少なくとも１つのテーブルをさらに備え、前記光輝性インクの明彩度が前記テーブルにわたって変化するボウリングセンター。
【請求項１５】
請求項１０記載のボウリングセンターにおいて、
前記多レーン壁画画像が、顧客によって提供されて前記第１および第２の複数のボウリングレーンパネル上に製作されるボウリングセンター。
【請求項１６】
請求項１０記載のボウリングセンターにおいて、
前記多レーン壁画画像の少なくとも一部が、白色光中で可視の多色インクを備えるボウリングセンター。
【請求項１７】
請求項１０記載のボウリングセンターにおいて、
前記多レーン壁画画像の少なくとも一部が、紫外光下で可視の光輝性インクを備えるボウリングセンター。
【請求項１８】
請求項１７記載のボウリングセンターにおいて、
前記光輝性インクの明彩度が、前記多レーン壁画画像にわたって変化するボウリングセンター。
【請求項１９】
請求項１７記載のボウリングセンターにおいて、
前記多レーン壁画画像が主として紫外光下で可視の光輝性インクを備え、前記多レーン壁画画像が紫外光下でのみ可視であるボウリングセンター。
【請求項２０】
請求項１０記載のボウリングセンターにおいて、
前記第１および第２の複数のボウリングレーンパネルが、一方が白色光下で可視であり他方が紫外光下で可視である２つの多レーン壁画画像を形成するボウリングセンター。
【請求項２１】
請求項１０記載のボウリングセンターにおいて、
前記第１および第２の複数のボウリングレーンパネルがそれぞれ第１および第２のファウルラインと第１および第２のピンデッキを規定し、前記第１および第２の壁画画像がそれぞれ前記第１および第２のファウルラインと前記第１および第２のピンデッキとの間に実質的に延在するボウリングセンター。
【請求項２２】
請求項２１記載のボウリングセンターにおいて、
前記第１および第２の複数のボウリングレーンパネルがそれぞれ第１および第２のアプローチエリアをさらに規定し、前記第１および第２の壁画画像がそれぞれ前記第１および第２のアプローチエリアに延在するボウリングセンター。
【請求項２３】
請求項１０記載のボウリングセンターにおいて、
前記多レーン壁画画像とテーマが関連するか、あるいはその一部である画像を含む側壁をさらに備えるボウリングセンター。
【請求項２４】
請求項１０記載のボウリングセンターにおいて、
前記多レーン壁画画像とテーマが関連するか、あるいはその一部である画像を含むピンセッタマスキングを備えるボウリングセンター。
【請求項２５】
壁画画像を備えるボウリングレーンを製作する方法であって、
各ボウリングレーンパネルが壁画画像の異なる部分を描く、複数のボウリングレーンパネルを設けるステップであって、前記壁画画像の少なくとも一部が紫外光下で可視の光輝性インクを備え、前記光輝性インクの見かけの明彩度が前記壁画画像にわたって変化するステップと、
前記複数のボウリングレーンパネルの組立て品が前記壁画画像を形成するように前記複数のボウリングレーンパネルを表面上に組み立てるステップと、
前記複数のボウリングレーンパネルを前記表面に固定するステップと、
を含む方法。
【請求項２６】
請求項２５記載の方法において、
各ボウリングレーンパネルが、前記壁画画像の特定部分を備える方法。
【請求項２７】
請求項２５記載の方法において、
前記壁画画像が、顧客によって提供されて前記複数のボウリングレーンパネル上に製作される方法。
【請求項２８】
請求項２５記載の方法において、
前記壁画画像の少なくとも一部が、白色光中で可視の多色インクを備える方法。
【請求項２９】
請求項２５記載の方法において、
前記壁画画像全体が紫外光下で可視の光輝性インクを備え、前記壁画画像が紫外光下でのみ可視である方法。
【請求項３０】
請求項２５記載の方法において、
前記複数のボウリングレーンパネルが、一方が白色光下で可視であり他方が紫外光下で可視である２つの壁画画像を形成する方法。
【請求項３１】
請求項２５記載の方法において、
前記ボウリングレーンパネルがファウルラインおよびピンデッキを規定し、前記壁画画像が前記ファウルラインと前記ピンデッキとの間に実質的に延在する方法。
【請求項３２】
請求項３１記載の方法において、
前記ボウリングレーンパネルがアプローチエリアをさらに規定し、前記壁画画像が前記アプローチエリアに延在する方法。
【請求項３３】
ボウリングセンターであって、
第１の壁画画像の異なる部分を各々が描く第１の複数のボウリングレーンパネルを備える第１のボウリングレーンと、
第２の壁画画像の異なる部分を各々が描く第２の複数のボウリングレーンパネルを備える第２のボウリングレーンと、を備え、
前記第１および第２の壁画画像が、多レーン壁画画像を形成し、
前記多レーン壁画画像の少なくとも一部が、紫外光下で可視の光輝性インクを備え、
前記光輝性インクの明彩度が、前記多レーン壁画画像にわたって変化するボウリングセンター。
【請求項３４】
請求項３３記載のボウリングセンターにおいて、
少なくとも１本の追加のボウリングレーンをさらに備え、前記少なくとも１本の追加のボウリングレーンの各々が、それぞれの少なくとも１つの追加の壁画画像の異なる部分を各々が描くそれぞれの複数のボウリングレーンパネルを備え、前記第１の壁画画像、前記第２の壁画画像、および前記少なくとも１つの追加の壁画画像が前記多レーン壁画画像を形成するボウリングセンター。
【請求項３５】
請求項３３記載のボウリングセンターにおいて、
前記第１および第２のボウリングレーン間に少なくとも１つのガターをさらに備え、前記少なくとも１つのガターが、前記第１および第２のボウリングレーンからの前記第１および第２の壁画画像とともに前記多レーン壁画画像を形成する壁画画像を備えるボウリングセンター。
【請求項３６】
請求項３３記載のボウリングセンターにおいて、
前記第１および第２のボウリングレーン間にボールリターンをさらに備え、前記ボールリターンが、前記第１および第２のボウリングレーンからの前記第１および第２の壁画画像とともに前記多レーン壁画画像を形成する壁画画像を備えるボウリングセンター。
【請求項３７】
請求項３３記載のボウリングセンターにおいて、
紫外光下で可視の光輝性インクを備える画像を備える、少なくとも１つのテーブルをさらに備え、前記光輝性インクの明彩度が前記テーブルにわたって変化するボウリングセンター。
【請求項３８】
請求項３３記載のボウリングセンターにおいて、
前記第１および第２の複数のボウリングレーンパネルの各々が、前記多レーン壁画画像の特定部分を備えるボウリングセンター。
【請求項３９】
請求項３３記載のボウリングセンターにおいて、
前記多レーン壁画画像が、顧客によって提供されて前記第１および第２の複数のボウリングレーンパネル上に製作されるボウリングセンター。
【請求項４０】
請求項３３記載のボウリングセンターにおいて、
前記多レーン壁画画像の少なくとも一部が、白色光中で可視の多色インクを備えるボウリングセンター。
【請求項４１】
請求項３３記載のボウリングセンターにおいて、
前記多レーン壁画画像が主として紫外光下で可視の光輝性インクを備え、前記多レーン壁画画像が紫外光下でのみ可視であるボウリングセンター。
【請求項４２】
請求項３３記載のボウリングセンターにおいて、
前記第１および第２の複数のボウリングレーンパネルが、一方が白色光下で可視であり他方が紫外光下で可視である２つの多レーン壁画画像を形成するボウリングセンター。
【請求項４３】
請求項３３記載のボウリングセンターにおいて、
前記第１および第２の複数のボウリングレーンパネルがそれぞれ第１および第２のファウルラインと第１および第２のピンデッキを規定し、前記第１および第２の壁画画像がそれぞれ前記第１および第２のファウルラインと前記第１および第２のピンデッキとの間に実質的に延在するボウリングセンター。
【請求項４４】
請求項４３記載のボウリングセンターにおいて、
前記第１および第２の複数のボウリングレーンパネルがそれぞれ第１および第２のアプローチエリアをさらに規定し、前記第１および第２の壁画画像がそれぞれ前記第１および第２のアプローチエリアに延在するボウリングセンター。
【請求項４５】
請求項３３記載のボウリングセンターにおいて、
前記多レーン壁画画像とテーマが関連するか、あるいはその一部である画像を含む側壁をさらに備えるボウリングセンター。
【請求項４６】
請求項３３記載のボウリングセンターにおいて、
前記多レーン壁画画像とテーマが関連するか、あるいはその一部である画像を含むピンセッタマスキングを備えるボウリングセンター。